(57)【要約】【課題】油滴やＴＥＰなど洗浄され難い濁質成分を含む原水の濾過にあたっても、濾過効率の低下を招いたり、分離膜の交換間隔の短期化を招いたりすることがない濾過方法および濾過装置を提供する。【解決手段】濁質成分を含む原水を分離膜を用いて濾過する濾過方法であって、分離膜の表面に、原水に含まれている濁質成分を捕捉するためのケーキ層を形成するケーキ層形成工程と、分離膜に形成されたケーキ層側から原水を通過させることにより、原水を濾過する濾過工程と、濁質成分を捕捉したケーキ層を分離膜の表面から除去するケーキ層除去工程とを繰り返して、原水を濾過する濾過方法および前記濾過方法を実施するための濾過装置。【選択図】図１
2014184374.tif 000002
【特許請求の範囲】
【請求項１】
濁質成分を含む原水を分離膜を用いて濾過する濾過方法であって、
前記分離膜の表面に、原水に含まれている濁質成分を捕捉するためのケーキ層を形成するケーキ層形成工程と、
前記分離膜に形成された前記ケーキ層側から前記原水を通過させることにより、前記原水を濾過する濾過工程と、
前記濁質成分を捕捉した前記ケーキ層を前記分離膜の表面から除去するケーキ層除去工程とを繰り返して、前記原水を濾過する濾過方法。
【請求項２】
前記ケーキ層形成工程が、濾材を分散させた分散液を前記分離膜により濾過することにより、前記分離膜の表面に前記濾材のケーキ層を形成する工程である請求項１に記載の濾過方法。
【請求項３】
前記ケーキ層除去工程が、前記濾過工程において前記分離膜の流入側と流出側との差圧が所定の値を超えた時に前記分離膜の洗浄を行うことにより、前記分離膜の表面から前記濾材のケーキ層を除去する工程である請求項２に記載の濾過方法。
【請求項４】
前記ケーキ層除去工程が、前記濾材のケーキ層が形成された面の反対側から洗浄水を通過させて逆洗することにより、前記濾材のケーキ層を前記分離膜の表面から剥離させて除去する工程である請求項３に記載の濾過方法。
【請求項５】
前記ケーキ層除去工程が、前記分離膜をジェット洗浄することにより、前記分離膜の表面から前記濾材のケーキ層を除去する工程である請求項３に記載の濾過方法。
【請求項６】
前記ケーキ層除去工程が、
前記濾材のケーキ層が形成された面の反対側から洗浄水を通過させて逆洗することにより、前記濾材のケーキ層を前記分離膜の表面から剥離させて除去する工程と、
前記分離膜をジェット洗浄することにより、前記分離膜の表面から剥離されずに残った前記濾材のケーキ層の残渣を除去する工程と
により行われる請求項３に記載の濾過方法。
【請求項７】
前記濾材として、前記分離膜の平均孔径の１０倍以上の平均粒子径を有する粒状の濾材を用いる請求項２ないし請求項６のいずれか１項に記載の濾過方法。
【請求項８】
前記分離膜として平均孔径が１μｍ以下の分離膜を用い、前記濾材として平均粒子径が１０μｍ以上の濾材を用いる請求項７に記載の濾過方法。
【請求項９】
前記濾材として珪藻土を用いる請求項２ないし請求項８のいずれか１項に記載の濾過方法。
【請求項１０】
前記分離膜として、ポリテトラフルオロエチレン、ポリフッ化ビニリデン、ポリエチレンのいずれかにより形成された分離膜を用いる請求項１ないし請求項９のいずれか１項に記載の濾過方法。
【請求項１１】
前記濾過工程において、海水、含油水、石油随伴水および排水の少なくとも１種類を原水として濾過する請求項１ないし請求項１０のいずれか１項に記載の濾過方法。
【請求項１２】
濁質成分を含む原水を濾過する分離膜と、
前記分離膜に濾材を分散させた分散液を供給し、前記分離膜の表面に前記濾材のケーキ層を形成する濾材供給部と、
前記ケーキ層を前記分離膜の表面から除去するケーキ層除去部と
を備えた濾過装置。
【請求項１３】
前記ケーキ層除去部が、前記分離膜をジェット洗浄することにより、前記分離膜の表面から前記濾材のケーキ層を除去するジェット洗浄機構を備えている請求項１２に記載の濾過装置。
【発明の詳細な説明】
【技術分野】
【０００１】
本発明は、濁質成分を含む原水を適切に濾過する濾過方法および濾過装置に関する。
【背景技術】
【０００２】
海水や河川水の飲料水化、排水の無害化など種々の水処理を行う装置として、分離膜を備えた濾過モジュールが容器内に収納された濾過装置が広く用いられており、含油水や石油随伴水の油水分離にも適用が検討されている。
【０００３】
この濾過装置では、濾過モジュールの分離膜に対して、一方向から原水（被処理水）を通過させることにより、原水に含まれていた濁質成分（有機分子、微粒子、油滴、プランクトン等の生物、および微生物が細胞外に分泌するＴＥＰ（ｔｒａｎｓｐａｒｅｎｔ  ｅｘｏｐｏｌｙｍｅｒ  ｐａｒｔｉｃｌｅ：透明細胞外高分子粒子）等）が除去されて濾過が行われる。
【０００４】
具体的な一例として、例えば、分離膜として中空糸膜を用いた場合には、外部から供給された原水を中空糸膜の外側から内側の中空部に向かって通過させることにより、濾過が行われる。
【０００５】
しかし、このような分離膜を備えた濾過装置を使用した場合、濾過の継続に伴って、上記した濁質成分が分離膜の表面に付着して、分離膜に目詰りを生じさせて濾過能力を低下させる。
【０００６】
そこで、このような目詰まりを解消し、低下した濾過能力を回復させるために、例えば、濾過時とは逆方向に通水を行って、分離膜の表面に付着した濁質成分を除去すること（逆洗）が広く行われている。
【０００７】
しかし、濁質成分の内には、このような逆洗では除去することが難しい油滴やＴＥＰなどの濁質成分もあるため、逆洗に加えて、洗浄水を分離膜の表面に高圧力で吹き付けて濾過モジュールを洗浄するスプレー洗浄や、エダクターノズルやバブリングジェットノズルから洗浄水を噴出させることにより濾過容器内に洗浄水のジェット水流を生じさせて濾過モジュールを洗浄するジェット洗浄なども行われている（例えば特許文献１）。
【先行技術文献】
【特許文献】
【０００８】
【特許文献１】国際公開第２０１２／０４３４３３号
【発明の概要】
【発明が解決しようとする課題】
【０００９】
しかしながら、上記のような洗浄を行ったとしても、油滴やＴＥＰなどの濁質成分を除去することは容易ではなく、濾過装置の使用を長期間継続した場合、濾過能力が適切に回復せず、濾過効率の低下を招いたり、分離膜の交換間隔の短期化を招く。
【００１０】
そこで、本発明は、油滴やＴＥＰなど洗浄され難い濁質成分を含む原水の濾過にあたっても、濾過効率の低下を招いたり、分離膜の交換間隔の短期化を招いたりすることがない濾過方法および濾過装置を提供することを課題とする。
【課題を解決するための手段】
【００１１】
本発明者は、上記課題の解決について鋭意検討を行った結果、以下に記載する発明により上記課題が解決できることを見出し、本発明を完成させるに至った。
【００１２】
請求項１に記載の発明は、
濁質成分を含む原水を分離膜を用いて濾過する濾過方法であって、
前記分離膜の表面に、原水に含まれている濁質成分を捕捉するためのケーキ層を形成するケーキ層形成工程と、
前記分離膜に形成された前記ケーキ層側から前記原水を通過させることにより、前記原水を濾過する濾過工程と、
前記濁質成分を捕捉した前記ケーキ層を前記分離膜の表面から除去するケーキ層除去工程とを繰り返して、前記原水を濾過する濾過方法である。
【００１３】
本請求項の発明においては、原水の濾過を開始するに先立って、分離膜の表面に、原水に含まれている濁質成分を捕捉するためのケーキ層を設けている。このケーキ層と分離膜との２層を用いて濾過を行うことにより、油滴やＴＥＰなど洗浄され難い濁質成分の大半を先に通過するケーキ層で捕捉することができる。
【００１４】
そして、これらの洗浄され難い濁質成分を捕捉したケーキ層を除去することにより、これらの濁質成分を分離膜の表面から効率的に除去することができる。
【００１５】
このように、本請求項の発明によれば、分離膜の表面に原水に含まれている濁質成分を捕捉するケーキ層を形成させて、このケーキ層に濁質成分を捕捉させながら濾過を行った後、濁質成分が捕捉されたケーキ層を除去するため、油滴やＴＥＰなど洗浄され難い濁質成分を効率的に除去することができる。
【００１６】
そして、前記した通り、濁質成分の大半がケーキ層に捕捉されるため、分離膜の表面には濁質成分が付着されにくく、長時間継続して濾過を行うことができる。その結果、濾過効率の低下や分離膜の交換間隔の短期化を防止することができる。
【００１７】
請求項２に記載の発明は、
前記ケーキ層形成工程が、濾材を分散させた分散液を前記分離膜により濾過することにより、前記分離膜の表面に前記濾材のケーキ層を形成する工程である請求項１に記載の濾過方法である。
【００１８】
濾材を分散させた分散液を濾過するだけで、容易に濾材のケーキ層を形成することができる。そして、形成された濾材のケーキ層は、濁質成分の捕捉性に優れている一方、分離膜の表面から容易に除去することができる。
【００１９】
請求項３に記載の発明は、
前記ケーキ層除去工程が、前記濾過工程において前記分離膜の流入側と流出側との差圧が所定の値を超えた時に前記分離膜の洗浄を行うことにより、前記分離膜の表面から前記濾材のケーキ層を除去する工程である請求項２に記載の濾過方法である。
【００２０】
分離膜の表面に形成された濾材のケーキ層は、前記したように、分離膜の表面から容易に除去することができるため、所定の差圧を超えた場合に行われる分離膜表面の洗浄により、濁質成分が捕捉された濾材のケーキ層を効率的に除去することができる。
【００２１】
請求項４に記載の発明は、
前記ケーキ層除去工程が、前記濾材のケーキ層が形成された面の反対側から洗浄水を通過させて逆洗することにより、前記濾材のケーキ層を前記分離膜の表面から剥離させて除去する工程である請求項３に記載の濾過方法である。
【００２２】
濾材のケーキ層は、濾材の分散液を濾過した時に加えられる水圧によって、分離膜の表面に圧縮して形成されているのみであるため、逆洗を行うことによって、濁質成分の大半が捕捉された濾材のケーキ層をそのまま分離膜の表面から容易に剥離させて、除去することができる。この結果、差圧を容易に回復させて、継続して濾過を行うことができる。
【００２３】
請求項５に記載の発明は、
前記ケーキ層除去工程が、前記分離膜をジェット洗浄することにより、前記分離膜の表面から前記濾材のケーキ層を除去する工程である請求項３に記載の濾過方法である。
【００２４】
本請求項の発明においては、通常の逆洗よりも洗浄効果の高いジェット洗浄で分離膜を洗浄するため、濁質成分が付着した濾材のケーキ層をより容易に除去して、差圧を容易に回復させて、継続して濾過を行うことができる。
【００２５】
請求項６に記載の発明は、
前記ケーキ層除去工程が、
前記濾材のケーキ層が形成された面の反対側から洗浄水を通過させて逆洗することにより、前記濾材のケーキ層を前記分離膜の表面から剥離させて除去する工程と、
前記分離膜をジェット洗浄することにより、前記分離膜の表面から剥離されずに残った前記濾材のケーキ層の残渣を除去する工程と
により行われる請求項３に記載の濾過方法である。
【００２６】
逆洗により、濾材のケーキ層を分離膜の表面から剥離させて除去して、差圧を回復させた後、分離膜をジェット洗浄することにより、分離膜の表面に残った濾材のケーキ層の残渣まで除去することができる。
【００２７】
請求項７に記載の発明は、
前記濾材として、前記分離膜の平均孔径の１０倍以上の平均粒子径を有する粒状の濾材を用いる請求項２ないし請求項６のいずれか１項に記載の濾過方法である。
【００２８】
濾過能力の高さと洗浄時の除去し易さの両面において好適なケーキ層を形成することができる濾材としては、分離膜の孔径よりも大きな粒子径の濾材が好ましく、特に、分離膜の平均孔径の１０倍以上の平均粒子径を有する粒状の濾材が好ましい。
【００２９】
請求項８に記載の発明は、
前記分離膜として平均孔径が１μｍ以下の分離膜を用い、前記濾材として平均粒子径が１０μｍ以上の濾材を用いる請求項７に記載の濾過方法である。
【００３０】
より微細な濁質成分を濾過することを考慮すると、分離膜としては平均孔径が１μｍ以下の分離膜が好ましく、一方、濁質成分の付着と洗浄時の除去し易さを考慮すると、濾材としては平均粒子径が１０μｍ以上の濾材が好ましい。
【００３１】
請求項９に記載の発明は、
前記濾材として珪藻土を用いる請求項２ないし請求項８のいずれか１項に記載の濾過方法である。
【００３２】
珪藻土は、適度な水圧によって圧縮されてケーキ層を形成する被圧縮性を有しており、珪藻土を分散させた分散水を濾過することによって分離膜の表面に容易にケーキ層を形成することができる。
【００３３】
また、珪藻土は多孔質の部材であり、濁質成分の捕捉性に優れている材料であるため、ケーキ層を形成させる濾材として好ましい。
【００３４】
請求項１０に記載の発明は、
前記分離膜として、ポリテトラフルオロエチレン、ポリフッ化ビニリデン、ポリエチレンのいずれかにより形成された分離膜を用いる請求項１ないし請求項９のいずれか１項に記載の濾過方法である。
【００３５】
ポリテトラフルオロエチレン（ＰＴＦＥ）、ポリフッ化ビニリデン（ＰＶＤＦ）、ポリエチレン（ＰＥ）は、疎水性であり、分離膜の素材として好ましいが、油分が付着しやすいため、原水が濁質成分として油分を多く含んでいる場合には、従来の洗浄では、濾過性能の回復を図ることが難しく、交換間隔が短くなりやすい。
【００３６】
しかし、本発明においては、ケーキ層が油分を捕捉して分離膜への付着を抑制しているため、これらの材料を分離膜の素材として使用した場合、本発明の顕著な効果を発揮させることができる。
【００３７】
請求項１１に記載の発明は、
前記濾過工程において、海水、含油水、石油随伴水および排水の少なくとも１種類を原水として濾過する請求項１ないし請求項１０のいずれか１項に記載の濾過方法である。
【００３８】
前記の通り、本発明の濾過方法は、油やＴＥＰなど洗浄され難い濁質成分を含む原水の濾過にあたっても、濾過効率の低下を招いたり、分離膜の交換間隔の短期化を招いたりすることがないため、海水や河川水の飲料水化、排水の無害化、含油水や石油随伴水の油水分離など種々の水処理において、顕著な効果を発揮させることができる。
【００３９】
請求項１２に記載の発明は、
濁質成分を含む原水を濾過する分離膜と、
前記分離膜に濾材を分散させた分散液を供給し、前記分離膜の表面に前記濾材のケーキ層を形成する濾材供給部と、
前記ケーキ層を前記分離膜の表面から除去するケーキ層除去部と
を備えた濾過装置である。
【００４０】
本請求項に係る濾過装置によれば、上記の通り、分離膜の表面に原水に含まれている濁質成分を捕捉するケーキ層を形成させて、このケーキ層に濁質成分を捕捉させながら濾過を行った後、濁質成分が捕捉されたケーキ層を除去するため、油滴やＴＥＰなど洗浄され難い濁質成分を効率的に除去することができる。
【００４１】
請求項１３に記載の発明は、
前記ケーキ層除去部が、前記分離膜をジェット洗浄することにより、前記分離膜の表面から前記濾材のケーキ層を除去するジェット洗浄機構を備えている請求項１２に記載の濾過装置である。
【００４２】
本請求項に係る濾過装置においては、上記の通り、通常の逆洗よりも洗浄効果の高いジェット洗浄で分離膜を洗浄するため、濁質成分が付着した濾材のケーキ層をより容易に除去して、差圧を容易に回復させて、継続して濾過を行うことができる。
【発明の効果】
【００４３】
本発明によれば、油滴やＴＥＰなど洗浄され難い濁質成分を含む原水の濾過にあたっても、濾過効率の低下を招いたり、分離膜の交換間隔の短期化を招いたりすることがない濾過方法および濾過装置を提供することができる。
【図面の簡単な説明】
【００４４】
【図１】本発明の一実施の形態に係る濾過方法の態様を説明する図である。
【図２】本発明の一実施の形態に係る濾過装置の構成の一例を説明する図である。
【図３】従来の濾過方法を用いて濾過した場合の原水および濾過水の濁度の測定結果の一例を示す図である。
【図４】従来の濾過方法を用いて濾過した場合の濾過水の濁度および差圧の測定結果の一例を示す図である。
【図５】本発明の一実施の形態に係る濾過方法を用いて濾過した場合の原水および濾過水の濁度の測定結果を示す図である。
【図６】本発明の一実施の形態に係る濾過方法を用いて濾過した場合の濾過水の濁度および差圧の測定結果を示す図である。
【図７】従来の濾過方法を用いて濾過した場合の原水および濾過水の濁度の別の測定結果を示す図である。
【図８】従来の濾過方法を用いて濾過した場合の濾過水の濁度および差圧の別の測定結果を示す図である。
【図９】本発明の別の一実施の形態に係る濾過方法を用いて濾過した場合の原水および濾過水の濁度の測定結果を示す図である。
【図１０】本発明の別の一実施の形態に係る濾過方法を用いて濾過した場合の濾過水の濁度および差圧の測定結果を示す図である。
【発明を実施するための形態】
【００４５】
以下、本発明を実施の形態に基づいて説明する。
【００４６】
はじめに、分離膜として中空糸膜を用いた濾過モジュールを備える濾過装置を例に採り、本実施の形態に係る濾過装置および濾過方法について説明する。図１は本発明の一実施の形態に係る濾過方法の態様を説明する図であって、図１の上段は濾過装置１全体に着目した図であり、図１の下段は１本の中空糸膜３ａに着目した図である。
【００４７】
１．濾過装置
図１に示すように、濾過装置１は、中空糸膜３ａが複数束ねられた中空糸膜束３を有する濾過モジュール２と、濾過モジュール２を収容する濾過容器６とを備えている。
【００４８】
また、本実施の形態に係る濾過装置１は、濾材を分散させた分散液を濾過モジュール２内に供給する濾材供給部（図示省略）をさらに備えている。濾材供給部から供給される濾材としては、中空糸膜３ａの表面に積層してケーキ層を形成する粒状の濾材（珪藻土など）が好ましい。
【００４９】
濾材供給部は、濾材の分散液を濾過モジュール２内に供給し、中空糸膜３ａの表面に濾材のケーキ層を形成することができるものであればよく、その構成は特に限定されるものではない。例えば、珪藻土などの濾材を分散させた分散液を貯蔵するタンクと、分散液を濾過容器６内に供給する分散液供給ラインとを備えた構成にすることができる。
【００５０】
また、濾材供給部は、原水を濾過容器６内に供給するラインや、別途清浄な水を濾過容器６内に供給するラインなどに、濾材を投入するような構成を有していてもよい。この場合、ラインへの濾材の投入が手作業であってもよいし、投入用の装置などにより自動化されていてもよい。
【００５１】
中空糸膜３ａは、ＰＴＦＥ、ＰＶＤＦ等のフッ素樹脂やＰＥ、ＰＰ（ポリプロピレン）等の疎水性樹脂から形成されており、本実施の形態においては平均孔径が０．４５μｍの膜が採用されている。
【００５２】
なお、本実施の形態においては、分離膜として中空糸膜３ａを用いているが、これに限らず平板状の分離膜を用いてもよい。平板状の分離膜を用いる場合、支持体として筒状のものであれば、上記中空糸膜と同じような構成をとることができる（代表的な構成は特開２００９−１０１３１１号に記載の構成であり、その内容は本願明細書に当然に取り込まれる）。また、平板状の支持体であれば、濾過モジュールの構成をＷＯ２００９／００４９６２に記載の構成にすることもでき、その内容は本願明細書に当然に取り込まれる。
【００５３】
２．濾過方法
次に上記した濾過装置１を用いた濾過方法について説明する。
【００５４】
（１）ケーキ層Ｃの形成（プロセス１）
まず、原水の濾過に先立って、プロセス１で中空糸膜３ａの外側表面に、珪藻土のケーキ層Ｃを形成する。
【００５５】
具体的には、珪藻土（例えば、ラジオライト（登録商標）＃７００）を分散させた分散水を中空糸膜３ａで濾過することにより、各中空糸膜３ａの外側表面に珪藻土が付着し、濾過の水圧により珪藻土が圧縮されて珪藻土のケーキ層Ｃが形成される。
【００５６】
なお、前記したとおり、濾材の平均粒子径は、分離膜の平均孔径の１０倍以上が好ましいため、平均孔径が０．４５μｍの中空糸膜３ａを用いた本実施の形態では、平均粒子経が３１μｍの珪藻土を用いている。
【００５７】
珪藻土のケーキ層Ｃの厚みは、濾過装置１の用途、例えば被処理水に含まれる濁質成分、濁度等を考慮して適宜適切な厚みに設定され、本実施の形態においては、厚さ２０μｍの珪藻土のケーキ層が形成されている。
【００５８】
（２）対象水の濾過（プロセス２）
予めプロセス１で珪藻土のケーキ層Ｃを形成した後、プロセス２で原水（対象水）を濾過する。このとき、原水は中空糸膜３ａの外側から内側に向かって移動していくため、濁質成分Ｄの大半が先に通過する珪藻土のケーキ層Ｃに捕捉され、残った濁質成分Ｄが次いで通過する中空糸膜３ａに捕捉されることにより、濁質成分Ｄが十分に除去された濾過水を得ることができる。
【００５９】
（３）洗浄（プロセス３、４）
濾過の継続に伴い、濁質成分による目詰まりが発生して、差圧が上昇して処理量が低下した場合、ケーキ層除去部を用いて洗浄を行い、ケーキ層Ｃを除去することにより濁質成分Ｄを除去する。本実施の形態では、ケーキ層Ｃは、前記の通り水圧により珪藻土を圧縮して、剥離しやすいように形成されているため、洗浄により容易にケーキ層Ｃが剥離され、ケーキ層Ｃに捕捉された濁質成分も効率的に除去される。
【００６０】
具体的には、先ず、プロセス３の逆洗が行われる。即ち、中空糸膜３ａの内部空洞から外側に向かって洗浄水を通過させことにより、濁質成分Ｄが捕捉されたケーキ層Ｃが剥離し、差圧の大半が初期状態に回復する。
【００６１】
次に、プロセス４で、ジェット水流Ｊにより中空糸膜３ａを洗浄するジェット洗浄が行われ、中空糸膜３ａの表面の珪藻土のケーキ層Ｃの残渣が除去される。
【００６２】
ジェット洗浄の一例を図２を参照しながら説明する。図２は、ジェット洗浄として内部洗浄流Ｊ１を生じさせる内部洗浄と、旋回洗浄流Ｊ２を生じさせる外部洗浄とを行うジェット洗浄機構を備えた濾過装置１の構成を説明する図である。
【００６３】
図２に示すように、濾過装置１は、中空糸膜束３内に挿入されて中空糸膜束３の長手方向に沿って洗浄水を噴射する直交ノズル４と、濾過モジュール２の周囲を旋回するような洗浄水を噴射する斜めノズル５とを備えたジェット洗浄機構を備えている。
【００６４】
直交ノズル４から洗浄水が噴射されることにより、中空糸膜束３内部において中空糸膜束３の長手方向に沿った内部洗浄流Ｊ１が発生する。これによって、中空糸膜束３が内部から適切に洗浄される。
【００６５】
一方、斜めノズル５から洗浄水が噴射されることにより、中空糸膜束３の周囲を旋回する旋回洗浄流Ｊ２が濾過容器６内に発生する。これにより、中空糸膜束３が外部から洗浄される。
【００６６】
上記のように洗浄を行うことにより、濁質成分Ｄの大半が容易に除去され濾過モジュール２の差圧が回復する。
【００６７】
その後、ケーキ層Ｃの形成（プロセス１）に戻り、プロセス１から４を繰り返すことにより濾過を継続する。
【００６８】
本実施の形態によれば、中空糸膜の表面に形成した珪藻土のケーキ層に濁質成分の大半を捕捉させてから、ケーキ層に捕捉された濁質成分をケーキ層と一緒に除去することにより、洗浄し難い濁質成分を含む原水の濾過にあたっても、濁質成分の分離膜への付着を少なくすると共に、効率的に分離膜から濁質成分を除去できるため、濾過性能の低下を招いたり、中空糸膜の交換間隔の短期化を招いたりすることがない。
【実施例】
【００６９】
次に、実施例に基づき本発明をより具体的に説明する。なお、以下の実施例では、実験の簡便性のため、分離膜として、中空糸膜ではなく平膜を用いた。
【００７０】
（実験１）
実験１では、濾材のケーキ層を形成しない分離膜を用い、原水としてＣ重油分散液を濾過し、濾過水の濁度および濾過時の差圧を測定した。
【００７１】
具体的には、分離膜にＰＴＦＥ延伸膜（平均孔径０．４５μｍ、厚さ３０μｍ、表面親水化）を用い、膜面積１ｍ２当たり１日に２．５ｍ３の処理流束でＣ重油５００ｐｐｍ分散液を濾過した。また、差圧が５０ｋＰａを超えた時点で目詰まりが生じているとみなして逆洗を行った。
【００７２】
原水の濁度および濾過水の濁度の測定結果を図３に、濾過水の濁度と差圧の測定結果を図４にそれぞれ示す。図３の縦軸は濁度（ＮＴＵ）であり、横軸は濾過時間（ｍｉｎ）である。また、図４の左右の縦軸がそれぞれ濁度（ＮＴＵ）、差圧（ｋＰａ）であり、横軸は濾過時間（ｍｉｎ）である。
【００７３】
図３に示すように、原水濁度３７０ＮＴＵに対して濾過水濁度は１ＮＴＵであり、清浄な濾過水が得られているが、図４に示すように濾過開始後３０分を経過したあたりから差圧が急上昇した。そして、目詰まりが生じたため、濾過を停止して逆洗を行ったが、差圧が回復しなかったため、実験を打ち切った。
【００７４】
（実験２）
実験２では、表面にラジオライトのケーキ層が形成されている分離膜を用いてＣ重油分散液を濾過した。具体的には、上記と同じＰＴＦＥ延伸膜を用いてラジオライト（平均粒子径３１μｍ）の分散水を濾過し、分離膜の原水流入側の面を厚さ２０μｍ相当のケーキ層で被覆した。その後、上記と同様に、Ｃ重油５００ｐｐｍ分散液を濾過し、濾過水の濁度および濾過時の差圧を測定した。
【００７５】
原水の濁度および濾過水の濁度の測定結果を図５に、濾過水の濁度と差圧を図６にそれぞれ示す。
【００７６】
図５に示すように、原水濁度３００ＮＴＵに対して濾過水濁度が１ＮＴＵであり、清浄な濾過水が得られた。また、図６に示すように、逆洗を行わなくても約１２０分間低い差圧を維持することができた。そして、１２０分および２４０分の時点で、逆洗を行うことにより差圧が回復し、その後ケーキ層を形成することにより、目詰まりすることなく継続的に濾過できることが確認された。
【００７７】
（実験３）
実験３では、ＰＴＦＥ製に替えてＰＶＤＦ製で、濾材のケーキ層が形成されていない従来の分離膜を用いてＣ重油分散液を濾過し、濾過水の濁度および濾過時の差圧を測定した。
【００７８】
具体的にはＰＶＤＦ膜（平均孔径０．４５μｍ、表面親水化）を用い、Ｃ重油５００ｐｐｍ分散液を濾過した。原水の濁度および濾過水の濁度の測定結果を図７に、濾過水の濁度と差圧の測定結果を図８にそれぞれ示す。
【００７９】
図７に示すように、原水濁度１７０〜３２０ＮＴＵに対して濾過水濁度が１ＮＴＵであり、清浄な濾過水が得られた。しかし、図８に示すように、時間経過に伴って差圧が上昇し、１２０分後、２４０分後、３６０分後に逆洗を行ったが差圧の回復は鈍く、３６０分で目詰まりした。
【００８０】
（実験４）
実験４では、表面にラジオライトのケーキ層が形成されている分離膜を用いてＣ重油分散液を濾過した。具体的には実験３と同じＰＶＤＦ膜（平均孔径０．４５μｍ）を用い、実験２と同じ方法で分離膜の原水流入側の面を厚さ２０μｍ相当のケーキ層で被覆した。その後、Ｃ重油５００ｐｐｍ分散液を濾過し、濾過水の濁度および濾過時の差圧を測定した。
【００８１】
原水の濁度および濾過水の濁度の測定結果を図９に、濾過水の濁度と差圧を図１０にそれぞれ示す。
【００８２】
図９に示すように、原水濁度３００ＮＴＵに対して濾過水濁度が１ＮＴＵであり、清浄な濾過水が得られた。また、図１０に示すように、逆洗を行わなくても約１０８０分もの間低い差圧の下で濾過することができた。また、１０８０分および１２６０分の時点で、逆洗を行うことにより差圧が回復し、その後ケーキ層を形成することにより、目詰まりすることなく継続的に濾過できることが確認された。
【００８３】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００８４】
１      濾過装置
２      濾過モジュール
３      中空糸膜束
３ａ    中空糸膜
４      直交ノズル
５      斜めノズル
６      濾過容器
Ｃ      ケーキ層
Ｄ      濁質成分
Ｊ      ジェット水流
Ｊ１    内部洗浄流
Ｊ２    旋回洗浄流
【図１】
2014184374.tif 000003
【図２】
2014184374.tif 000004
【図３】
2014184374.tif 000005
【図４】
2014184374.tif 000006
【図５】
2014184374.tif 000007
【図６】
2014184374.tif 000008
【図７】
2014184374.tif 000009
【図８】
2014184374.tif 000010
【図９】
2014184374.tif 000011
【図１０】
2014184374.tif 000012